(57)【特許請求の範囲】
【請求項１】
記録紙に印刷を行うプリンターにおいて、
前記記録紙を収納する記録紙収納部を備えるプリンター本体部と、
前記プリンター本体部に取り付けられて前記記録紙収納部を開閉する開閉カバーと、
前記プリンター本体部に取り付けられて前記開閉カバーを閉位置に係止するために可動するロック機構と、
前記ロック機構と係合して、前記開閉カバーの係止を解除するロック解除機構と、
前記記録紙収納部から印刷ヘッドによる印刷位置を経由して排紙口に前記記録紙が搬送される紙搬送路と、
前記記録紙を前記紙搬送路に沿って搬送する搬送ローラーと、
を有し、
前記搬送ローラーは、前記開閉カバーに回転可能に支持され、
前記ロック機構は前記紙搬送路を間に挟んだ両方側に設けられ、前記ロック解除機構は前記紙搬送路を間に挟んだ片方側に設けられ、
前記ロック解除機構により一方側の前記ロック機構が動いて前記搬送ローラーの軸部を押して移動させ、前記軸部の移動により他方側の前記ロック機構が動き、ロックが解除され、
前記紙搬送路を間に挟んだ一方側と他方側とで前記開閉カバーが前記閉位置に配置されたことを検出する検出機構を有することを特徴とするプリンター。
【請求項２】
請求項１において、
前記検出機構は、前記紙搬送路の一方側に位置する第１検出器、他方側に位置する第２検出器、および、検出回路を備え、
前記第１検出器および前記第２検出器は、前記閉位置に配置された前記開閉カバーによって操作されて導通可能な状態を形成するスイッチであり、
前記検出回路には、前記第１検出器と前記第２検出器とが接続されることを特徴とするプリンター。
【請求項３】
請求項１または２において、
前記記録紙を切断するカッターを有し、
前記カッターは、固定刃、可動刃および前記固定刃に対して前記可動刃を進退させる可動刃駆動機構を備え、
前記固定刃は、前記開閉カバーに固定され、
前記可動刃および前記可動刃駆動機構は、前記プリンター本体部に保持されることを特徴とするプリンター。
【発明の詳細な説明】
【技術分野】
【０００１】
本発明は、記録紙を収納する記録紙収納部を開閉する開閉カバーを備えるロール紙プリンターに関する。
【背景技術】
【０００２】
ロール紙から繰り出される長尺状の記録紙に印刷を施すロール紙プリンターは、ロール紙収納部（記録紙収納部）を備えるプリンター本体部と、プリンター本体部に取り付けられてロール紙収納部を開閉する開閉カバーを有する。また、ロール紙プリンターは、開閉カバーがロール紙収納部を閉じる閉位置に配置されたときにプリンター本体部と開閉カバーの間に形成される排紙口を備える。
【０００３】
このようなロール紙プリンターでは、開閉カバーを閉じたときにロール紙収納部から印刷ヘッドによる印刷位置を経由して排紙口に至る紙搬送路が形成され、開閉カバーを開くと、この紙搬送路が開放状態となる。従って、開閉カバーを開き、記録紙を引き出した状態のロール紙をロール紙収納部に投入し、しかる後に開閉カバーを閉じれば、記録紙を紙搬送路に沿って引き出した状態でロール紙をセットできる。
【０００４】
ここで、特許文献１に記載のプリンターは、開閉カバーが閉位置に配置されたことを検出する検出機構を備える。検出機構はプリンター本体部に設けられている。検出機構は、紙搬送路を搬送される記録紙の紙幅方向の一方側（紙搬送路の一方側）で開閉カバーを検出する。
【先行技術文献】
【特許文献】
【０００５】
【特許文献１】特開２００２−４６３２２号公報
【発明の概要】
【発明が解決しようとする課題】
【０００６】
検出機構が紙搬送路の一方側に設けられているプリンターでは、検出機構によって開閉カバーが閉位置に配置されたことが検出されていても、開閉カバーが完全に閉じられていないことがある。例えば、閉位置に配置された開閉カバーが規定の姿勢から傾斜している場合には、開閉カバーにおける紙搬送路の一方側の端部分は閉位置に達しているのに対して、紙搬送路の他方側の端部分は閉位置から離間していることがある。この場合には、検出機構によって開閉カバーが閉位置に位置することは検出されるが、開閉カバーは完全に閉じられていない。ここで、開閉カバーが完全に閉じられていないと、紙搬送路が完全に形成された状態とならない。従って、紙搬送路に沿って搬送される記録紙に紙詰まりが発生することがある。
本発明の課題は、かかる点に鑑みて、記録紙収納部を開閉する開閉カバーが完全に閉じられたことを検出できるロール紙プリンターを提供することにある。
【課題を解決するための手段】
【０００７】
上記の課題を解決するために、本発明は、記録紙に印刷を行うプリンターにおいて、前記記録紙を収納する記録紙収納部を備えるプリンター本体部と、前記プリンター本体部に取り付けられて前記記録紙収納部を開閉する開閉カバーと、前記記録紙収納部から印刷ヘッドによる印刷位置を経由して排紙口に前記記録紙が搬送される紙搬送路と、前記紙搬送路を間に挟んだ一方側と他方側とで前記開閉カバーが閉位置に配置されたことを検出する検出機構と、を有することを特徴とする。
【０００８】
本発明によれば、検出機構は、紙搬送路を間に挟んだ一方側と他方側とで開閉カバーが閉位置に配置されたことを検出する。従って、例えば、閉位置に配置された開閉カバーが規定の姿勢から傾斜している場合であって、開閉カバーにおける紙搬送路の一方側の端部分は閉位置に達しているのに対して、紙搬送路の他方側の端部分は閉位置から離間しているときには、検出機構は開閉カバーが閉位置にあることを検出しない。よって、検出機構は、開閉カバーが完全に閉じられたことを検出できる。
【０００９】
本発明において、前記検出機構は、前記紙搬送路の一方側に位置する第１検出器、他方側に位置する第２検出器、および、検出回路を備え、前記第１検出器および前記第２検出器は、前記閉位置に配置された前記開閉カバーによって操作されて導通可能な状態を形成するスイッチであり、前記検出回路には、前記第１検出器と前記第２検出器とが接続されるものとすることができる。このようにすれば、検出回路が簡易である。
【００１０】
本発明において、前記記録紙を前記紙搬送路に沿って搬送する搬送ローラーを有し、前記搬送ローラーは、前記開閉カバーに回転可能に支持されるものとすることができる。搬送ローラーが開閉カバーに支持される構成では、開閉カバーが完全に閉じられていないと、搬送ローラーが適切な位置に適切な姿勢で配置されない。従って、開閉カバーが完全に閉じられていない状態では、搬送ローラーにより記録紙を搬送したときに搬送精度が低下するという問題がある。記録紙の搬送精度が低下すると、印刷品質の低下を招く。このような問題に対して、検出機構によって開閉カバーが完全に閉じられていることを検出すれば、開閉カバーが完全に閉じられていない場合に、搬送ローラーによる記録紙の搬送を停止できる。
【００１１】
本発明において、前記記録紙を切断するカッターを有し、前記カッターは、固定刃、可動刃および前記固定刃に対して前記可動刃を進退させる可動刃駆動機構を備え、前記固定刃は、前記開閉カバーに固定され、前記可動刃および前記可動刃駆動機構は、前記プリンター本体部に保持されるものとすることができる。開閉カバーに固定刃が取り付けられたカッターを搭載する場合には、開閉カバーが完全に閉じられていない状態で記録紙の切断が行われると、固定刃と可動刃が適切な姿勢で摺接せず、記録紙を切断できないという問題がある。このような問題に対して、検出機構によって開閉カバーが完全に閉じられていることを検出すれば、開閉カバーが完全に閉じられていない場合に、カッターによる記録紙の切断を停止できる。
【図面の簡単な説明】
【００１２】
【図１】本発明の実施の形態に係るロール紙プリンターの斜視図である。
【図２】図１のロール紙プリンターの断面図である。
【図３】図１のロール紙プリンターの分解斜視図である。
【図４】開閉カバーを閉位置に保持するロック機構の説明図である。
【図５】開閉カバーが閉位置に配置されたことを検出する検出機構の説明図である。
【図６】ロール紙プリンターの制御系の概略ブロック図である。
【発明を実施するための形態】
【００１３】
以下に図面を参照して本発明の実施の形態にかかるロール紙プリンターを説明する。
【００１４】
図１は本発明の実施の形態に係るロール紙プリンターを排紙口が設けられている側から見た場合の斜視図である。図１（ａ）は開閉カバーが閉じられた状態であり、図１（ｂ）は開閉カバーが開かれた状態である。図２はロール紙プリンターの断面図である。図３はプリンターの分解斜視図である。図３では上カバー、下カバーおよび開閉カバーの外装板を省略して示す。図１に示すように、以下の説明では、便宜上、ロール紙プリンターの幅方向をＸ、前後方向をＹ、上下方向をＺとし、排紙口が設けられている側を上方、その反対側を下方とする。また、開閉カバーが設けられている側を後方、その反対側を前方とする。幅方向における左右は、プリンターを前方から見た場合の左右とする。
【００１５】
本例のロール紙プリンター１（以下、プリンターという）は、ロール紙２から繰り出される長尺状の記録紙３に印刷を施す。ロール紙２は記録紙３においてロール状に巻きまわされた部分である。図１に示すように、プリンター１は全体として直方体形状をしている。プリンター１は、プリンター本体部５と、プリンター本体部５に取り付けられた開閉カバー６を有する。開閉カバー６は、プリンター本体部５の後側部分に設けられたロール紙収納部（記録紙収納部）７のロール紙投入口７ａを上方から被う。開閉カバー６がロール紙投入口７ａを閉じた閉位置６Ａに配置されている状態では、図１（ａ）に示すように、開閉カバー６の前端縁とプリンター本体部５の間に排紙口８が形成される。
【００１６】
プリンター本体部５における開閉カバー６の側方には開閉カバー６を開くための開ボタン９が設けられている。開ボタン９を押すと、開閉カバー６はプリンター本体部５の後端部分を幅方向Ｘに延びる軸線Ｌ回りに回動して上方に開く。開閉カバー６が開かれた状態では、図１（ｂ）に示すように、ロール紙投入口７ａが上方に開放される。従って、ロール紙収納部７へのロール紙２の装填が可能となる。
【００１７】
開閉カバー６の内側には刃先を前方に向けた状態で固定刃１１が取り付けられている。刃先は開閉カバー６において排紙口８を規定する前端縁部分に沿って延びる。固定刃１１は後述する可動刃ユニット１２とともにオートカッター１３を構成する。また、開閉カバー６の内側には、プラテンローラー（搬送ローラー）１４が回転可能に支持されている。
【００１８】
図１および図２に示すように、プリンター本体部５は、上方に開口した下ケース１６と、下ケース１６における前側部分に上側から被せた上ケース１７を備える。開閉カバー６は、下ケース１６における後側部分に被せられており、ロール紙収納部７は下ケース１６と開閉カバー６の間に設けられている。上ケース１７の前側部分には電源スイッチ１８やＬＥＤからなる表示器１９が設けられている。
【００１９】
図２に示すように、上ケース１７の内側には、可動刃ユニット１２が取り付けられている。図３に示すように、可動刃ユニット１２は、可動刃２１と、可動刃２１を固定刃１１に対して進退させる可動刃駆動機構２２を備える。可動刃駆動機構２２は、その駆動源であるカッターモーター３３（図６参照）と、カッターモーター３３の駆動力を可動刃２１に伝達する輪列３４を備える。可動刃ユニット１２は可動刃２１の刃先を後方に向けている。可動刃２１は、固定刃１１ともに記録紙３を切断する切断位置２１Ａと、切断位置２１Ａから前方に離間する待機位置２１Ｂの間を前後方向Ｙに移動する。可動刃２１は、当該可動刃２１が待機位置２１Ｂから切断位置２１Ａに移動する際に、固定刃１１の上側から固定刃１１に摺接する。
【００２０】
図１に示すように、下ケース１６の前側の右側面部分にはバッテリー装着部３６のバッテリー装填口３６ａが設けられている。下ケース１６には、バッテリー装填口３６ａを開閉する開閉扉３７が取り付けられている。図２に示すように、バッテリー装着部３６はプリンター本体部５の前側部分において可動刃ユニット１２の下方に設けられている。バッテリー装着部３６にはバッテリー装填口３６ａを介して幅方向Ｘから直方体形状のバッテリー１０１が装着される。バッテリー１０１はプリンター１の電源である。バッテリー装着部３６の下方には回路基板４０が配置されている。
【００２１】
前後方向Ｙにおけるバッテリー装着部３６とロール紙収納部７の間には、印刷ヘッド３８が後方を向く状態に配置されている。印刷ヘッド３８はサーマルヘッドである。また、前後方向Ｙにおけるバッテリー装着部３６とロール紙収納部７の間には、ロール紙収納部７から印刷ヘッド３８による印刷位置Ａおよびオートカッター１３によるカット位置Ｂをこの順に経由して排紙口８に至る紙搬送路３９が形成されている。
【００２２】
印刷ヘッド３８のヘッド面には、後方からプラテンローラー１４が当接している。プラテンローラー１４は回転中心軸を幅方向Ｘに向けている。図１（ｂ）に示すように、プラテンローラー１４は、ローラー本体部４１とローラー本体部４１から幅方向Ｘの両側に突出する軸部４２、４３を有する。軸部４２、４３の外径はローラー本体部４１の外径よりも小さい。幅方向Ｘの他方側の軸部４３には当該軸部４３と同軸にローラー側歯車４４が取り付けられている。
【００２３】
プラテンローラー１４は、搬送モーター４６および搬送モーター４６の駆動力をプラテンローラー１４に伝達する輪列４７とともに記録紙３を紙搬送路３９に沿って搬送する搬送機構４８（図２参照）を構成する。搬送モーター４６はプリンター本体部５に搭載されている。輪列４７はプリンター本体部５の側に構成された本体部側輪列４９とプラテンローラー１４の軸部４３に取り付けられたローラー側歯車４４を備える。開閉カバー６が閉位置６Ａに配置されると、本体部側輪列４９の最終歯車とローラー側歯車４４が噛合して搬送モーター４６の駆動力がプラテンローラー１４に伝達可能となる。
【００２４】
印刷ヘッド３８の後方で紙搬送路３９を幅方向Ｘで間に挟んだ両側には、図１（ｂ）に示すように、開閉カバー６を閉位置６Ａに維持するための一対のロック機構５１、５２が設けられている。一対のロック機構５１、５２の後方には一対のカバー検出器５３、５４が設けられている。一対のカバー検出器５３、５４は、幅方向Ｘで紙搬送路３９の一方側に配置された第１カバー検出器（第１検出器）５３と他方側に配置された第２カバー検出器（第２検出器）５４を備える。第１カバー検出器５３および第２カバー検出器５４は、後述する検出回路５５とともに、開閉カバー６が閉位置６Ａに配置されたことを検出する検出機構５６（図６参照）を構成する。
【００２５】
（ロック機構）
図４はロック機構５１の周辺を幅方向Ｘから見た側面図である。図４（ａ）は開ボタン９が下方に押し込まれている状態であり、開閉カバー６が閉位置６Ａから上方に離間している。図４（ｂ）は、開閉カバー６が閉位置６Ａに配置された状態である。図４では下ケース１６を取り外して示す。
【００２６】
ロック機構５１、５２は、プラテンローラー１４の軸部４２、４３を固定部材６１と可動部材６２の間に挟み込むことにより開閉カバー６を閉位置６Ａに保持する。また、ロック機構５１、５２は、開ボタン９が下方に押されると、固定部材６１と可動部材６２による軸部４２、４３の挟み込みを解除して、開閉カバー６を上方に回動させる。開ボタン９は、ロック機構５１、５２による開閉カバー６のロックを解除するロック解除機構６３を構成するものである。ロック解除機構６３は、開ボタン９の操作によって揺動する揺動部材６４を備える。なお、幅方向Ｘで紙搬送路３９の一方側に配置されたロック機構５１と他方側に配置されたロック機構５２の構成は同一なので、一方のロック機構５１を説明して他方のロック機構５２の説明は省略する。
【００２７】
固定部材６１は、板状であり、紙搬送路３９の側方で上下方向Ｚおよび前後方向Ｙに延びる。固定部材６１の前端縁には前方から切り欠かれた固定部材側凹部６１ａ（図５（ａ）参照）が設けられている。
【００２８】
可動部材６２は、板状であり、幅方向Ｘに延びる回転軸Ｌ１回りに回転可能に支持されている。可動部材６２の回転軸Ｌ１は、固定部材６１よりも前方で固定部材側凹部６１ａよりも下方に位置する。可動部材６２は、固定部材６１とともにプラテンローラー１４を挟み込むロック位置６２Ａと、ロック位置６２Ａから離間する開放位置６２Ｂの間を回動する。図４（ｂ）に示すように、可動部材６２は、ロック位置６２Ａに配置されたときに、上方方向に延びる第１板部６５と、第１板部６５の上下方向Ｚの途中から後方に延びる第２板部６６と、第１板部６５の下端部分から後方に延びる第３板部６７と、第１板部６５の上下方向Ｚの途中から前方に延びる第４板部６８と、第２板部６６の後側部分と第３板部６７の後端部分の間を上下方向Ｚに延びて接続する第５板部６９を備える。
【００２９】
回転軸Ｌ１は、第１板部６５の下側部分に設けられている。第１板部６５における第２板部６６よりも上側には、その後端縁に後方から切り欠かれた可動部材側凹部６２ａが設けられている。図５（ａ）に示すように、可動部材側凹部６２ａは、可動部材６２がロック位置６２Ａに配置されたときに固定部材側凹部６１ａに前方から対向する。第４板部６８の前端部分には、可動部材６２を開放位置６２Ｂの側に向って付勢するコイルバネ７０が取り付けられている。第３板部６７の後端部分にはロック解除機構６３の揺動部材６４の前端部分が下方から当接している。
【００３０】
揺動部材６４は、幅方向Ｘに延びる回転軸Ｌ２回りに回転可能に支持されている。揺動部材６４の回転軸Ｌ２は可動部材６２よりも後方で可動部材６２よりも下方に位置する。揺動部材６４の後端部分は開ボタン９に連結されている。開ボタン９を下方に押し込むと、揺動部材６４の後端部分が下方に移動して、揺動部材６４の前端部分が上方に移動する。この際に、揺動部材６４はロック機構の可動部材６２を上方に向って回動させる。
【００３１】
図４（ａ）に示すように、可動部材６２が開放位置６２Ｂに配置されている状態では、可動部材６２の第１板部６５は上方に向って前方に傾斜する。従って、可動部材６２と固定部材６１の間には、上方に向って広がる隙間７１が形成されている。この状態で開閉カバー６を閉位置６Ａに配置すると、プラテンローラー１４の軸部４２が隙間７１に挿入されて、可動部材６２の第２板部６６に当接する。また、軸部４２は、コイルバネ７０の付勢力に抗して、第２板部６６を下方に移動させる。これにより可動部材６２はロック位置６２Ａに配置される。可動部材６２がロック位置６２Ａに配置されると、図４（ｂ）に示すように、固定部材側凹部６１ａと可動部材側凹部６２ａの間にプラテンローラー１４の軸部４２が挟持された状態となる。従って、開閉カバー６は閉位置６Ａに保持される。
【００３２】
開閉カバー６が閉位置６Ａに配置されているときに開ボタン９を下方に押し込むと、揺動部材６４の後端部分が下方に移動して、揺動部材６４の前端部分が上方に移動する。これにより、揺動部材６４は、ロック位置６２Ａにある可動部材６２の第３板部６７を上方に移動させる。この結果、図４（ａ）に示すように、可動部材６２はロック位置６２Ａから開放位置６２Ｂに移動し、ロック機構５１による開閉カバー６のロックが解除される。
【００３３】
ここで、可動部材６２が開放位置６２Ｂに移動すると、可動部材６２の第２板部６６がプラテンローラー１４の軸部４２を上方に押し上げる。これにより、プラテンローラー１４の他方側の軸部４３も上方に移動する。従って、他方側のロック機構５２では、可動部材６２がロック位置６２Ａから開放位置６２Ｂに向う方向に回動して、軸部４３をロック機構５２から開放する。よって、ロック機構５２による開閉カバー６のロックも解除される。
【００３４】
（検出機構）
図５は検出機構５６の説明図である。図５（ａ）は開閉カバー６が閉位置６Ａよりも上方に位置する状態であり、図５（ｂ）は、開閉カバー６が閉位置６Ａに配置された状態であり、図５（ｃ）は検出機構５６の回路図である。図５（ａ）、図５（ｂ）ではプリンター１から下ケース１６を取り外して示す。
【００３５】
検出機構５６は、幅方向Ｘで紙搬送路３９を間に挟んだ両側で開閉カバー６が閉位置６Ａにあることを検出する。ここで、紙搬送路３９の一方側に配置された第１カバー検出器５３と他方側に配置された第２カバー検出器５４の構成は同一なので、第１カバー検出器５３を説明して第２カバー検出器５４の説明は省略する。
【００３６】
第１カバー検出器５３は、閉位置６Ａに配置された開閉カバー６によって操作されて導通可能な状態を形成するスイッチである。図５に示すように、第１カバー検出器５３は上下に移動する操作部７６を備える。開閉カバー６が閉位置６Ａに配置されると、開閉カバー６に設けられた突起７７が、操作部７６に上方から当接して下方に押し下げる。これにより第１カバー検出器５３は導通可能となる。
【００３７】
ここで、図５（ｃ）に示すように、検出回路５５は、第１カバー検出器５３と第２カバー検出器５４は直列に接続された回路部分７８と、この回路部分７８の断線を検出する導通検出部（検出部）７９を備える。導通検出部７９は、回路部分７８に断線がなく、導通可能となったときに、開閉カバー６が閉位置６Ａに配置されたことを検出する。
【００３８】
（制御系）
図６はプリンター１の制御系の概略ブロック図である。図６に示すように、プリンター１の制御系はＣＰＵを備える制御部８１を中心に構成される。制御部８１の入力側には通信部８２と検出機構５６が接続されている。通信部８２は、コンピューターなどの外部の機器とプリンター１を通信可能に接続する。検出機構５６は、開閉カバー６が閉位置６Ａに配置され、第１カバー検出器５３および第２カバー検出器５４がそれぞれ導通可能な状態となっているときに閉信号を制御部８１に入力する。制御部８１の出力側には、表示器１９、印刷ヘッド３８、搬送モーター４６、カッターモーター３３が不図示のドライバーを介して接続されている。
【００３９】
制御部８１は、印刷制御部８５と、動作停止制御部８６を備える。印刷制御部８５は、通信部８２を介して外部の機器から印刷データが供給されると、検出機構５６から閉信号が入力されているか否かを確認する。そして、印刷制御部８５は、検出機構５６から閉信号が入力されている場合（開閉カバー６が閉位置６Ａに配置されている場合）に、印刷データを印刷する印刷処理動作を行う。印刷処理動作では、制御部８１は、搬送モーター４６を駆動して紙搬送路３９に引き出された記録紙３を紙搬送路３９に沿って一定速度で搬送する。また、印刷制御部８５は、搬送モーター４６の駆動と並行して印刷ヘッド３８を駆動して印刷位置Ａを通過する記録紙３に印刷データを印刷する。印刷処理が終了すると、印刷制御部８５は、カッターモーター３３を駆動して、切断位置２１Ａにおいて印刷が施された記録紙３を切断する。
【００４０】
動作停止制御部８６は、検出機構５６から閉信号が入力されていない場合（開閉カバー６が閉位置６Ａに配置されていない場合）に、表示器１９を点灯させる。また、動作停止制御部８６は、検出機構５６から閉信号が入力されていない場合に、印刷ヘッド３８、搬送モーター４６およびカッターモーター３３を動作させず、これらの駆動による処理動作を保留する。例えば、外部の機器から印刷データが供給されたときに検出機構５６から閉信号が入力されていない場合には、印刷制御部８５が印刷ヘッド３８、搬送モーター４６およびカッターモーター３３を駆動しようとしても、これらを動作させず、印刷処理動作を保留する。その後、検出機構５６から閉信号が入力されると、動作停止制御部８６は、印刷制御部８５による印刷ヘッド３８、搬送モーター４６およびカッターモーター３３の駆動を許可する。これにより、保留されていた印刷処理動作が実行される。
【００４１】
（印刷動作）
プリンター１は、検出機構５６から閉信号が入力されている場合には、印刷処理動作を正常に行うことが可能な状態であるとして、表示器１９を消灯させている。一方、プリンター１は、検出機構５６から閉信号が入力されていない場合には、表示器１９を点灯させて、操作者に開閉カバー６を閉じることを促す。
【００４２】
外部の機器からプリンター１に印刷データが供給されると、制御部８１は、検出機構５６から閉信号が入力されているか否かを確認する。ここで、検出機構５６から制御部８１に閉信号が入力されている場合には、プリンター１は印刷処理動作を行う。すなわち、プリンター１は、記録紙３を紙搬送路３９に沿って搬送して印刷位置Ａで印刷を施し、切断位置２１Ａで印刷が施された記録紙３を切断する。
【００４３】
一方、検出機構５６から制御部８１に閉信号が入力されていない場合には、プリンター１は、印刷ヘッド３８、搬送モーター４６、カッターモーター３３を動作させず、印刷処理動作を保留する。その後、操作者によって開閉カバー６が完全に閉じられると、プリンター１は印刷処理動作を行う。
【００４４】
ここで、本例のプリンター１では、プラテンローラー１４が開閉カバー６に支持されている。従って、開閉カバー６が完全に閉じられていないと、プラテンローラー１４が適切な位置に適切な姿勢で配置されない。よって、開閉カバー６が完全に閉じられていないときにプラテンローラー１４を駆動して記録紙３を搬送すると、搬送精度が低下するという問題がある。記録紙３の搬送精度が低下すると印刷品質の低下を招く。
【００４５】
また、本例のプリンター１では、オートカッター１３の固定刃１１が開閉カバー６に搭載されており、可動刃２１がプリンター本体部５に搭載されている。従って、開閉カバー６が完全に閉じられていない状態で記録紙３の切断が行われると、固定刃１１と可動刃２１が適切な姿勢で摺接せず、記録紙３を切断できないという問題がある。
【００４６】
これらの問題に対して、本例では、検出機構５６は、紙搬送路３９を間に挟んだ一方側と他方側とで開閉カバー６が閉位置６Ａに配置されたことを検出する。従って、例えば、閉位置６Ａに配置された開閉カバー６が規定の姿勢から傾斜している場合であって、開閉カバー６における紙搬送路３９の一方側の端部分は閉位置６Ａに達しているのに対して、紙搬送路３９の他方側の端部分は閉位置６Ａから離間しているときには、検出機構５６は開閉カバー６が閉位置６Ａにあることを検出しない。すなわち、検出機構５６は、開閉カバー６が完全に閉じられていない場合には、開閉カバー６が閉位置６Ａにあることを検出しない。
【００４７】
また、本例では、開閉カバー６が完全に閉じられていない場合には、検出機構５６から閉信号が出力されないので、印刷ヘッド３８、搬送モーター４６、カッターモーター３３が動作しない。従って、開閉カバー６が完全に閉じられていない場合には、プリンター１は印刷処理動作を行わない。よって、搬送精度の低下に起因する印刷品質の低下を防止できる。また、オートカッター１３を動作させても記録紙３を切断できないという不具合を防止できる。
【符号の説明】
【００４８】
１・・プリンター、２・・ロール紙、３・・記録紙、５・・プリンター本体部、６・・開閉カバー、６Ａ・・閉位置、７・・ロール紙収納部（記録紙収納部）、７ａ・・ロール紙投入口、８・・排紙口、９・・開ボタン、１１・・固定刃、１２・・可動刃ユニット、１３・・オートカッター、１４・・プラテンローラー（搬送ローラー）、１６・・下ケース、１７・・上ケース、１８・・電源スイッチ、１９・・表示器、２１・・可動刃、２１Ａ・・切断位置、２１Ｂ・・待機位置、２２・・可動刃駆動機構、３３・・カッターモーター、３４・・輪列、３６・・バッテリー装着部、３６ａ・・バッテリー装填口、３７・・開閉扉、３８・・印刷ヘッド、３９・・紙搬送路、４０・・回路基板、４１・・ローラー本体部、４２・４３・・軸部、４４・・ローラー側歯車、４６・・搬送モーター、４７・・輪列、４８・・搬送機構、４９・・本体部側輪列、５１・５２・・ロック機構、５３・・第１カバー検出器（第１検出器）、５４・・第２カバー検出器（第２検出器）、５５・・検出回路、５６・・検出機構、６１・・固定部材、６１ａ・・固定部材側凹部、６２・・可動部材、６２ａ・・可動部材側凹部、６２Ａ・・ロック位置、６２Ｂ・・開放位置、６３・・ロック解除機構、６４・・揺動部材、６５・・第１板部、６６・・第２板部、６７・・第３板部、６８・・第４板部、６９・・第５板部、７０・・コイルバネ、７１・・隙間、７６・・操作部、７７・・突起、７８・・回路部分、７９・・導通検出部、８１・・制御部、８２・・通信部、８５・・印刷制御部、８６・・動作停止制御部、１０１・・バッテリー、Ａ・・印刷位置、Ｂ・・カット位置、Ｌ・・軸線、Ｌ１・・回転軸、Ｌ２・・回転軸、Ｘ・・幅方向、Ｙ・・前後方向、Ｚ・・上下方向
【図１】
0006447248.tif 000002
【図２】
0006447248.tif 000003
【図３】
0006447248.tif 000004
【図４】
0006447248.tif 000005
【図５】
0006447248.tif 000006
【図６】
0006447248.tif 000007